(57)【要約】【課題】ドナーアンテナとサービスアンテナとを電磁的に結合させずに屋内配置することのできるリピータを提案する。【解決手段】ドナーアンテナ２０は、屋外基地局との間で電波を送受信するように窓ガラス５１に配置されたドナーアンテナ本体２１と、ドナーアンテナ本体２１と屋外基地局との間で送受信される電波を通過させるための開口部を有するとともに、ドナーアンテナ本体２１からの電波がサービスアンテナ３０に結合しないように窓ガラス５１に配置されたドナーアンテナ用電波遮蔽部材２２とを備える。サービスアンテナ３０は、屋内移動機との間で送受信される電波の主輻射方向が屋内を向くように屋内の窓ガラス５２に配置されたサービスアンテナ本体３１と、サービスアンテナ本体３１からの電波がドナーアンテナ２０に結合しないように窓ガラス５２に配置されたサービスアンテナ用電波遮蔽部材３２とを備える。【選択図】図１
2014165600.tif 000002
【特許請求の範囲】
【請求項１】
屋外基地局との間で電波を送受信するように窓ガラスに配置されたドナーアンテナ本体と、
前記屋外基地局と前記ドナーアンテナ本体との間で送受信される電波を通過させるための開口部を有するとともに、前記ドナーアンテナ本体から屋内への電波の漏洩を遮蔽するように前記窓ガラスに配置された電波遮蔽部材と、
を備えるドナーアンテナ。
【請求項２】
ドナーアンテナとサービスアンテナとを備えるリピータであって、
前記ドナーアンテナは、屋外基地局との間で電波を送受信するように窓ガラスに配置されたドナーアンテナ本体と、前記ドナーアンテナ本体と前記屋外基地局との間で送受信される電波を通過させるための開口部を有するとともに、前記ドナーアンテナ本体からの電波が前記サービスアンテナに結合しないように前記窓ガラスに配置されたドナーアンテナ用電波遮蔽部材とを備え、
前記サービスアンテナは、屋内移動機との間で送受信される電波の主輻射方向が屋内を向くように前記屋内の窓ガラス又はその周辺に配置されたサービスアンテナ本体と、前記サービスアンテナ本体からの電波が前記ドナーアンテナに結合しないように前記窓ガラスに配置されたサービスアンテナ用電波遮蔽部材とを備える、リピータ。
【発明の詳細な説明】
【技術分野】
【０００１】
本発明は屋外基地局と屋内移動機との間で送受信される電波を増幅中継するリピータのアンテナに関する。
【背景技術】
【０００２】
移動通信システムでは、マクロセル基地局と移動機との間で送受信される電波を増幅中継するリピータが用いられている。リピータは、基地局を増設するよりも低コストかつ迅速に通信エリアを拡大し、電波不感エリアを解消することができる。この種のリピータでは、サービスアンテナとドナーアンテナが電磁的に結合すると、正帰還ループの形成により発振してしまうため、アンテナ間のアイソレーションの確保が要求される。アイソレーションを確保するためには、アンテナ間の離隔を十分にとる他、アンテナ自体のフロントバック比の改善が効果的である。このような理由から、従来のリピータでは、例えば、特開２００７−２９５３４９号に記載されているように、ドナーアンテナを屋外に設置し、サービスアンテナを屋内に設置していた。
【先行技術文献】
【特許文献】
【０００３】
【特許文献１】特開２００７−２９５３４９号
【発明の概要】
【発明が解決しようとする課題】
【０００４】
しかし、ドナーアンテナを屋外に設置できない環境下では、ドナーアンテナとサービスアンテナとを電磁的に結合させずに屋内に配置するための工夫が要求される。
【０００５】
そこで、本発明は、ドナーアンテナとサービスアンテナとを電磁的に結合させずに両者を屋内配置することのできるドナーアンテナ及びリピータを提案することを課題とする。
【課題を解決するための手段】
【０００６】
上述の課題を解決するため、本発明に係わるドナーアンテナは、屋外基地局との間で電波を送受信するように窓ガラスに配置されたドナーアンテナ本体と、ドナーアンテナ本体と屋外基地局との間で送受信される電波を通過させるための開口部を有するとともに、ドナーアンテナ本体から屋内への電波の漏洩を遮蔽するように窓ガラスに配置された電波遮蔽部材と、を備える。斯かる構成によれば、ドナーアンテナ本体からの電波が窓ガラスを透過して屋内へ回り込むことによる、ドナーアンテナとサービスアンテナとの電磁的な結合を回避し、十分なアイソレーションを確保することができる。
【０００７】
本発明に係わるリピータは、ドナーアンテナとサービスアンテナとを備えている。ドナーアンテナは、屋外基地局との間で電波を送受信するように窓ガラスに配置されたドナーアンテナ本体と、ドナーアンテナ本体と屋外基地局との間で送受信される電波を通過させるための開口部を有するとともに、ドナーアンテナ本体からの電波がサービスアンテナに結合しないように窓ガラスに配置されたドナーアンテナ用電波遮蔽部材とを備える。サービスアンテナは、屋内移動機との間で送受信される電波の主輻射方向が屋内を向くように屋内の窓ガラス又はその周辺に配置されたサービスアンテナ本体と、サービスアンテナ本体からの電波がドナーアンテナに結合しないように窓ガラスに配置されたサービスアンテナ用電波遮蔽部材とを備える。斯かる構成によれば、ドナーアンテナとサービスアンテナとを電磁的に結合させずに両者を屋内配置することができる。
【発明の効果】
【０００８】
本発明によれば、ドナーアンテナとサービスアンテナとを電磁的に結合させずに両者を屋内配置することができる。
【図面の簡単な説明】
【０００９】
【図１】本実施形態に係わるリピータの全体構成を示す説明図である。
【図２】図１の２−２線矢視断面図である。
【図３】本実施形態に係わるドナーアンテナ用電波遮蔽部材の平面図である。
【図４】図１の４−４線矢視断面図である。
【図５】本実施形態に係わるサービスアンテナ用電波遮蔽部材の平面図である。
【発明を実施するための形態】
【００１０】
以下、各図を参照しながら本発明に係わる実施形態について説明する。
図１は本実施形態に係わるリピータ１０の全体構成を示す説明図である。リピータ１０は、屋外基地局との間で電波を送受信するドナーアンテナ２０と、屋内移動機との間で電波を送受信するサービスアンテナ３０と、これらのアンテナ２０，３０間の信号をフィルタリング及び電力増幅するリピータ本体４０とを備えている。ドナーアンテナ２０は、窓ガラス５１に配置されたドナーアンテナ本体２１と、ドナーアンテナ本体２１からの電波がサービスアンテナ３０に結合しないように窓ガラス５１に配置されたドナーアンテナ用電波遮蔽部材２２とを備えている。一方、サービスアンテナ３０は、窓ガラス５２に配置されたサービスアンテナ本体３１と、サービスアンテナ本体３１からの電波がドナーアンテナ２０に結合しないように窓ガラス５２に配置されたサービスアンテナ用電波遮蔽部材３２とを備える。
【００１１】
図２は図１の２−２線矢視断面図である。ドナーアンテナ本体２１は、その主輻射方向７１にＲＦエネルギーが集中する強い指向性を有しており、主輻射方向７１が屋外を向くように窓ガラス５１に取り付けられている。屋内の中でも、とりわけ、窓ガラス５１は、屋外基地局からの電波の受信環境がよいため、ドナーアンテナ本体２１自体を窓ガラス５１に取り付けることで、良好な受信感度を得ることができる。ドナーアンテナ用電波遮蔽部材２２は、ドナーアンテナ本体２１の周囲を取り囲むように窓ガラス５１に取り付けられている。ドナーアンテナ本体２１からは、主輻射方向７１に向けてメインローブ６１が放射される他、その周囲からは、主輻射方向７１に対して斜めの角度でサイドローブ６２が放射されている。ドナーアンテナ本体２１から放射されたサイドローブ６２は、窓ガラス５１とドナーアンテナ用電波遮蔽部材２２との間で反射又は散乱を繰り返し、屋外へ出る。これにより、サイドローブ６２が窓ガラス５１を透過して屋内へ回り込むことによる、サイドローブ６２とサービスアンテナ３０との電磁的な結合を回避し、十分なアイソレーションを確保することができる。
【００１２】
図３に示すように、ドナーアンテナ用電波遮蔽部材２２は、ドナーアンテナ本体２１と屋外基地局との間で送受信される電波を通過させるための開口部２２Ａを有している。ドナーアンテナ本体２１は、開口部２２Ａの内部において窓ガラス５１を介して屋外に露出している。ドナーアンテナ用電波遮蔽部材２２の形状及びサイズは、ドナーアンテナ本体２１の放射パターンを考慮してサイドローブ６２の屋内への漏洩を必要十分に遮蔽できるように設計すればよい。ドナーアンテナ用電波遮蔽部材２２の一例として、例えば、電波を反射又は吸収する電磁シールドフィルム（例えば、ガラスクロス補強アルミ箔）が好適である。ドナーアンテナ用電波遮蔽部材２２は、両面テープ等を利用して、窓ガラス５１に貼着固定することができる。
【００１３】
図４は図１の４−４線断面図である。サービスアンテナ本体３１は、その主輻射方向９１にＲＦエネルギーが集中する強い指向性を有しており、主輻射方向９１が屋内を向くように窓ガラス５２に取り付けられている。サービスアンテナ本体３１を敢えて窓ガラス５２に取り付けることで、サービス本体３１から放射されるメインローブ８１が窓ガラス５２を直接通過して屋外へ漏れ出ることを抑制できる。サービスアンテナ用電波遮蔽部材３２は、サービスアンテナ本体３１と窓ガラス５２との間に介在している。サービスアンテナ本体３１からは、主輻射方向７１に向けてメインローブ６１が放射される他、その周囲からは、主輻射方向９１に対して斜めの角度でサイドローブ８２が放射されている。サービスアンテナ本体３１から放射されたサイドローブ８２は、サービスアンテナ用電波遮蔽部材３２で反射し、屋内に向けて散乱する。これにより、サイドローブ８２が窓ガラス５２を透過して屋外へ回り込むことによる、サイドローブ８２とドナーアンテナ２０との電磁的な結合を回避し、十分なアイソレーションを確保することができる。また、サービスアンテナ３０からの放射が屋外へ漏れ出ることを抑制できるため、屋外への漏れ電波を抑制しつつ、十分な出力で屋内移動機にサービスを提供することができる。サービスアンテナ本体３１を、例えば、その主輻射方向９１が窓ガラス５２を向くような位置（例えば、窓ガラス５２に対向する内壁）に取り付けると、メインローブ８１が窓ガラス５２を直接通過して屋外へ漏れ出てしまうため、窓ガラス５２の全体を覆うようにサービスアンテナ用電波遮蔽部材３２を配置しなければならなくなる。これに対し、主輻射方向９１が屋内を向くようにサービスアンテナ本体３１を敢えて窓ガラス５２に取り付けることにより、メインローブ８１が窓ガラス５２を直接通過することを回避できるため、サービスアンテナ用電波遮蔽部材３２が占める範囲は、窓ガラス５２の面積のうち、サイドローブ８２等の放射パターンの屋外への漏れを抑制できる最小限の範囲で足りる。
【００１４】
図５に示すように、サービスアンテナ用電波遮蔽部材３２は、平板状に形成されており、ドナーアンテナ用電波遮蔽部材２２とは異なり、電波を通過させるための開口部を有していない。サービスアンテナ用電波遮蔽部材３２の形状及びサイズは、サービスアンテナ本体３１の放射パターンを考慮してサイドローブ８２の屋外への漏洩を必要十分に遮蔽できるように設計すればよい。サービスアンテナ用電波遮蔽部材３２の一例として、例えば、電波を反射又は吸収する電磁シールドフィルム（例えば、ガラスクロス補強アルミ箔）が好適である。サービスアンテナ用電波遮蔽部材３２は、両面テープ等を利用して、窓ガラス５２に貼着固定することができる。
【００１５】
なお、サービスアンテナ本体３１の配置場所は、必ずしも窓ガラス５２に限られるものではなく、例えば、メインローブ８１が窓ガラス５２を直接通過して屋外に漏れ出ることのない位置及び角度にサービスアンテナ本体３１を取り付ければよい。このような条件を満たすサービスアンテナ本体３１の取り付け位置は、例えば、屋内の天井や内壁等の窓ガラス５２の周辺部分である。例えば、主輻射方向９１が屋内を向き、かつ、メインローブ８１が窓ガラス５２を直接通過して屋外に漏れ出ることのない角度で、屋内の天井にサービスアンテナ本体３１を取り付けてもよい。このような配置でも、メインローブ８１が窓ガラス５２を直接通過することを回避できるため、サービスアンテナ用電波遮蔽部材３２は、サイドローブ８２等の放射パターンが屋外へ漏れ出ないように、窓ガラス５２の一部に設置すれば十分である。また、サービスアンテナ本体３１は、フロントバック比を向上させるための反射板を備えても良い。
【符号の説明】
【００１６】
１０…リピータ
２０…ドナーアンテナ
２１…ドナーアンテナ本体
２２…ドナーアンテナ用電波遮蔽部材
２２Ａ…開口部
３０…サービスアンテナ
３１…サービスアンテナ本体
３２…サービスアンテナ用電波遮蔽部材
４０…リピータ本体
５１，５２…窓ガラス
６１，８１…メインローブ
６２，８２…サイドローブ
７１，９１…主輻射方向
【図１】
2014165600.tif 000003
【図２】
2014165600.tif 000004
【図３】
2014165600.tif 000005
【図４】
2014165600.tif 000006
【図５】
2014165600.tif 000007